(57)【要約】【課題】シート支持部にシート状の物質を精度よく位置決めして貼付する。【解決手段】シート状の物質が貼付されるシート支持部の表面である貼付面に近接させられて、該シート支持部との間で、シート状の物質を貼付面と同等以下の面積に切断可能な刃部３と、該刃部３とシート支持部とを位置決めする位置決め部４とを備えるシート貼付治具１を提供する。【選択図】図１
2014151006.tif 000002
【特許請求の範囲】
【請求項１】
シート状の物質が貼付されるシート支持部の表面である貼付面に近接させられて、該シート支持部との間で、前記シート状の物質を前記貼付面と同等以下の面積に切断可能な刃部と、該刃部と前記シート支持部とを位置決めする位置決め部とを備えるシート貼付治具。
【請求項２】
前記位置決め部が、前記シート支持部の前記貼付面以外の２以上の相互に交差する面を突き当てる突当部を有する請求項１に記載のシート貼付治具。
【請求項３】
前記シート支持部が平板状に形成され、
前記突当部が、前記シート支持部の前記貼付面の背面および隣接する２つの側面を突き当てる請求項２に記載のシート貼付治具。
【請求項４】
前記位置決め部が、前記シート支持部に嵌合する嵌合部を有する請求項１から請求項３のいずれかに記載のシート貼付治具。
【請求項５】
前記嵌合部が、前記シート支持部に設けられた凸部または凹部に嵌合する凹状または凸状に形成されている請求項４に記載のシート貼付治具。
【請求項６】
前記嵌合部が、前記シート支持部の外面を嵌合させるように、前記シート支持部の外形と相補的な形状の嵌合凹部を有する請求項４または請求項５に記載のシート貼付治具。
【請求項７】
前記刃部の刃先が、前記シート状の物質を切断する際に、前記刃部と前記シート状の物質とが、前記刃先に沿う方向に相対移動させられる請求項１から請求項６のいずれかに記載のシート貼付治具。
【請求項８】
前記刃部の刃先が、該刃部の移動方向に対して傾斜している請求項７に記載のシート貼付治具。
【請求項９】
前記刃部の刃先を、該刃先に沿う方向に前記シート状の物質に対して移動させる移動機構を備える請求項７に記載のシート貼付治具。
【請求項１０】
前記刃先が、前記刃部の移動方向に沿って波状に形成されている請求項９に記載のシート貼付治具。
【請求項１１】
前記刃部の刃先が円環状に形成され、
前記移動機構が、前記刃先の中心軸回りに前記刃部を回転させつつ、該刃部を前記シート状の物質に近接させる請求項９または請求項１０に記載のシート貼付治具。
【請求項１２】
前記刃部の刃先が環状に形成され、
前記刃先の内側に打ち抜かれて残る前記シート状の物質を刃先から離脱させる手段を備える請求項７から請求項１１のいずれかに記載のシート貼付治具。
【請求項１３】
前記刃部が、前記シート支持部の前記表面全面を被覆可能な板状部材に固定されている請求項１から請求項１２のいずれかに記載のシート貼付治具。
【請求項１４】
前記刃部の刃先より突出した位置と、前記刃先より引っ込んだ位置との間で弾性変形可能な弾性材料からなる押圧部を備える請求項１から請求項１３のいずれかに記載のシート貼付治具。
【請求項１５】
前記刃部の前記刃先より引っ込んだ位置に配置され、前記押圧部のそれ以上の弾性変形を規制する規制部材を備える請求項１４に記載のシート貼付治具。
【請求項１６】
請求項１から請求項１４のいずれかに記載のシート貼付治具を用いたシート状の物質の貼付方法であって、
前記シート支持部の前記表面に前記シート状の物質を配置する配置ステップと、
前記シート支持部と前記シート貼付治具とを位置決めする位置決めステップと、
前記シート貼付治具の前記刃部により、前記シート状の物質を切断する切断ステップとを含むシート貼付方法。
【請求項１７】
前記切断ステップが、前記シート支持部の前記表面に配置された前記シート状の物質の上方を覆いつつ行われる請求項１６に記載のシート貼付方法。
【請求項１８】
前記切断ステップが、切断前から切断中にわたって、前記シート支持部の前記表面に配置された前記シート状の物質を前記シート支持部に押さえつけながら行われる請求項１０または請求項１７に記載のシート貼付方法。
【請求項１９】
前記切断ステップが、前記刃部の刃先と前記シート状の物質とを前記刃先に沿う方向に相対移動させながら行われる請求項１６から請求項１８のいずれかに記載のシート貼付方法。
【発明の詳細な説明】
【技術分野】
【０００１】
本発明は、シート貼付治具およびシート貼付方法に関するものである。
【背景技術】
【０００２】
従来、シート状の治療用物質を体内に搬送して、患部に貼付する治療用物質の搬送投与器具が知られている（例えば、特許文献１参照。）。
この器具は、シート状の治療用物質によって平坦なシート支持部に設けた複数の開口部を塞ぐようにして治療用物質をシート支持部に搭載し、開口部に供給する液体の圧力を低下させることで、治療用物質を吸着して搬送する。そして、患部近傍において、開口部に供給する液体の圧力を増大させることで、治療用物質をシート支持部から剥離させて患部に貼付するようになっている。
【先行技術文献】
【特許文献】
【０００３】
【特許文献１】特開２００８−１７３３３３号公報
【発明の概要】
【発明が解決しようとする課題】
【０００４】
しかしながら、シート状の治療用物質をシート支持部に貼付するには、医師がその都度、治療用物質を鋏で切断してセットする必要があり、面倒であるという問題がある。
本発明は、上述した事情に鑑みてなされたものであって、シート支持部にシート状の物質を精度よく位置決めして貼付することができるシート貼付治具およびシート貼付方法を提供することを目的としている。
【課題を解決するための手段】
【０００５】
上記目的を達成するために、本発明は以下の手段を提供する。
本発明の一態様は、シート状の物質が貼付されるシート支持部の表面である貼付面に近接させられて、該シート支持部との間で、前記シート状の物質を前記貼付面と同等以下の面積に切断可能な刃部と、該刃部と前記シート支持部とを位置決めする位置決め部とを備えるシート貼付治具を提供する。
【０００６】
本態様によれば、シート貼付治具にシート支持部を取り付けると、位置決め部によって、刃部とシート支持部とが位置決めされるので、シート支持部に搭載したシート状の物質を刃部によって、シート支持部の貼付面と同等以下の面積に切断して、貼付面に位置決め状態に貼付することができる。すなわち、切断後のシート状の物質を貼付するために取り扱う必要が無く、切断と貼付とを簡易に行うことができる。
【０００７】
上記態様においては、前記位置決め部が、前記シート支持部の前記貼付面以外の２以上の相互に交差する面を突き当てる突当部を有していてもよい。
このようにすることで、突当部にシート支持部の貼付面以外の２以上の面を突き当てて、刃部とシート支持部とを簡易に位置決めすることができる。
【０００８】
また、上記態様においては、前記シート支持部が平板状に形成され、前記突当部が、前記シート支持部の前記貼付面の背面および隣接する２つの側面を突き当ててもよい。
このようにすることで、貼付面の背面を突当部に突き当てることで、刃部に対してシート支持部をシート状の物質の厚さ方向に位置決めし、隣接する２つの側面を突き当てることで、刃部に対してシート支持部をシート状の物質の厚さ方向に直交する２方向に位置決めすることができる。
【０００９】
また、上記態様においては、前記位置決め部が、前記シート支持部に嵌合する嵌合部を有していてもよい。
このようにすることで、シート支持部を嵌合部に嵌合させるだけで、刃部に対してシート支持部を簡易に位置決めすることができる。
【００１０】
また、上記態様においては、前記嵌合部が、前記シート支持部に設けられた凸部または凹部に嵌合する凹状または凸状に形成されていてもよい。
このようにすることで、シート支持部に設けられた凸部を凹状の嵌合部に嵌合させ、または、シート支持部に設けられた凹部を凸状の嵌合部に嵌合させて、簡易に位置決めすることができる。
【００１１】
また、上記態様においては、前記嵌合部が、前記シート支持部の外面を嵌合させるように、前記シート支持部の外形と相補的な形状の嵌合凹部を有していてもよい。
このようにすることで、シート支持部の外面を相補的な形状の嵌合凹部を有する嵌合部に嵌合させるだけで、簡易に位置決めすることができる。
【００１２】
また、上記態様においては、前記刃部の刃先が前記シート状の物質を切断する際に、前記刃部と前記シート状の物質とが、前記刃先に沿う方向に相対移動させられてもよい。
このようにすることで、刃部によるシート状の物質の切断が、押し切りではなく引き切りとなり、ゼリー状の比較的柔らかい物質であってもスムーズに切断することができる。
【００１３】
また、上記態様においては、前記刃部の刃先が、該刃部の移動方向に対して傾斜していてもよい。
このようにすることで、刃部とシート状の物質とを、刃部の刃先に向かう方向に相対的に移動させると、移動方向に対して傾斜した刃先に、シート状の物質との間で刃先に沿う方向に相対移動するので、シート状の物質をスムーズに切断することができる。
【００１４】
また、上記態様においては、前記刃部の刃先を、該刃先に沿う方向に前記シート状の物質に対して移動させる移動機構を備えていてもよい。
このようにすることで、移動機構の作動により、刃部がシート状の物質に対して刃先に沿う方向に移動させられ、シート状の物質をスムーズに切断することができる。
【００１５】
また、上記態様においては、前記刃先が、前記刃部の移動方向に沿って波状に形成されていてもよい。
このようにすることで、刃部を刃先に沿う方向に移動させると、シート状の物質に接触する刃先の状態が変化するので、シート状の物質をスムーズに切断することができる。
【００１６】
また、上記態様においては、前記刃部の刃先が円環状に形成され、前記移動機構が、前記刃先の中心軸回りに前記刃部を回転させつつ、該刃部を前記シート状の物質に近接させてもよい。
このようにすることで、移動機構の作動により、円環状の刃先をその中心軸回りに回転させつつシート状の物質に近接させていくことにより、シート状の物質を引き切りによって徐々にスムーズに切断することができる。
【００１７】
また、上記態様においては、前記刃部の刃先が環状に形成され、前記刃先の内側に打ち抜かれて残る前記シート状の物質を刃先から離脱させる手段を備えていてもよい。
このようにすることで、シート状の物質の切断後に、刃先をシート支持部から離間させるときに、円環状の刃先の内側のシート状の物質がシート支持部から剥離されて刃部とともに取り外されてしまう不都合の発生を防止することができる。
【００１８】
また、上記態様においては、前記刃部が、前記シート支持部の前記表面全面を被覆可能な板状部材に固定されていてもよい。
このようにすることで、シート支持部の貼付面を鉛直上向きにしてシート状の物質を配置し、鉛直上方から刃部を近接させてシート状の物質を切断する作業を行う際に、シート状の物質の上方が板状部材によって覆われる。これにより、作業中に上方から落下してくる塵埃等がシート状の物質に付着することを防止することができる。
【００１９】
また、上記態様においては、前記刃部の刃先より突出した位置と、前記刃先より引っ込んだ位置との間で弾性変形可能な弾性材料からなる押圧部を備えていてもよい。
このようにすることで、シート状の物質に刃部を近接させていくと、刃先よりも突出した位置に配置されている押圧部がシート状の物質に接触してこれを押さえる。そして、刃部をさらに近接させて行くと、弾性材料からなる押圧部が弾性変形して圧縮され、刃先が押圧部よりも突出した時点で刃先によるシート状の物質の切断が開始される。これにより、切断中においてもシート状の物質を押さえ続けるので、安定して切断作業を行うことができる。
【００２０】
また、上記態様においては、前記刃部の前記刃先より引っ込んだ位置に配置され、前記押圧部のそれ以上の弾性変形を規制する規制部材を備えていてもよい。
このようにすることで、刃部をシート状の物質に押しつけ続けると、押圧部がさらに圧縮されていくが、一定量だけ圧縮されると、それ以上の弾性変形が規制部材によって規制されるので、シート状の物質を押圧部によって過大な力で押圧することが制限され、シート状の物質が柔らかい場合でもその健全性を維持することができる。
【００２１】
また、本発明の他の態様は、上記いずれかのシート貼付治具を用いたシート状の物質の貼付方法であって、前記シート支持部の前記表面に前記シート状の物質を配置する配置ステップと、前記シート支持部と前記シート貼付治具とを位置決めする位置決めステップと、前記シート貼付治具の前記刃部により、前記シート状の物質を切断する切断ステップとを含むシート貼付方法を提供する。
【００２２】
上記態様においては、前記切断ステップが、前記シート支持部の前記表面に配置された前記シート状の物質の上方を覆いつつ行われてもよい。
また、上記態様においては、前記切断ステップが、切断前から切断中にわたって、前記シート支持部の前記表面に配置された前記シート状の物質を前記シート支持部に押さえつけながら行われてもよい。
また、上記態様においては、前記切断ステップが、前記刃部の刃先と前記シート状の物質とを前記刃先に沿う方向に相対移動させながら行われてもよい。
【発明の効果】
【００２３】
本発明によれば、シート支持部にシート状の物質を精度よく位置決めして貼付することができるという効果を奏する。
【図面の簡単な説明】
【００２４】
【図１】本発明の第１の実施形態に係るシート貼付治具を示す斜視図である。
【図２】図１のシート貼付治具を位置決め状態に取り付け可能なシート支持部を示す斜視図である。
【図３】本発明の第２の実施形態に係るシート貼付治具を示す（ａ）斜視図および（ｂ）縦断面図である。
【図４】図３のシート貼付治具の変形例であって、シート状の物質の切断前の状態を示す縦断面図である。
【図５】図４のシート貼付治具によるシート状の物質の切断後の状態を示す縦断面図である。
【図６】図３のシート貼付治具の他の変形例であって、シート状の物質の切断前の状態を示す縦断面図である。
【図７】図６のシート貼付治具によるシート状の物質の切断後の状態を示す縦断面図である。
【図８】本発明の第３の実施形態に係るシート貼付治具を示す斜視図である。
【図９】図８のシート貼付治具を示す分解斜視図である。
【図１０】図８のシート貼付治具を構成するベース部にシート支持部を位置決め状態に配置した状態を示す斜視図である。
【図１１】図１０のシート支持部にシート状の物質を載せた状態を示す斜視図である。
【図１２】図１１のベース部にユニットを位置決め状態に取り付けた状態を示す斜視図である。
【図１３】図１２のユニットによるシート状の物質の切断工程を説明する斜視図である。
【図１４】図１３において切断された後に、ベース部からユニットを取り外した状態を示す斜視図である。
【図１５】図１４の状態からシート状の物質の周辺部分を除去した状態を示す斜視図である。
【図１６】図８のシート貼付治具のベース部の変形例を示す斜視図である。
【図１７】図１６のベース部の嵌合凹部にシート支持部を嵌合状態に配置した状態を示す斜視図である。
【図１８】図８のシート貼付治具の変形例を示す斜視図である。
【図１９】図１８のシート貼付治具を構成するベース部を示す斜視図である。
【図２０】図１９のベース部にシート支持部を嵌合させた状態を示す斜視図である。
【図２１】図２０のシート支持部の貼付面にシート状の物質を配置した状態を示す斜視図である。
【図２２】図２１のベース部に位置決め状態に取り付けたユニットによる切断工程を説明する斜視図である。
【図２３】図１６のシート貼付治具によるシート状の物質の切断前の状態を示す縦断面図である。
【図２４】図２３のシート貼付治具の刃先形状の第１の変形例を示す縦断面図である。
【図２５】図２３のシート貼付治具の刃先形状の第２の変形例を示す縦断面図である。
【図２６】図８のシート貼付治具の他の変形例を示す一部を破断した正面図である。
【図２７】図８のシート貼付治具の他の変形例を示す一部を破断した正面図である。
【図２８】図８のシート貼付治具の他の変形例を示す正面図である。
【発明を実施するための形態】
【００２５】
本発明の第１の実施形態に係るシート貼付治具１について、図面を参照して以下に説明する。
本実施形態に係るシート貼付治具１は、図２に示されるような貼付装置の平板状のシート支持部２の一表面（以下、貼付面という。）２ａにシート状の治療物質Ａを貼付する治具であって、貼付面２ａに近接させられて、シート支持部２との間で、シート状の治療物質Ａを貼付面２ａと同等以下の面積に切断可能な刃部３と、該刃部３とシート支持部２とを位置決めする位置決め部４とを備えている。
【００２６】
刃部３は、図１に示されるように、シート支持部２の貼付面２ａより小さい矩形状に形成されている。
位置決め部４は、シート支持部２の貼付面２ａに設けられた凹部２ｂに嵌合する突起（以下、突起４とも言う。）により構成されている。凹部２ｂおよび突起４は、同一の間隔を空けて２カ所に設けられている。
【００２７】
シート貼付治具１の突起４が設けられている面は、刃部３の刃先３ａとほぼ同一の高さ位置に設定されている。シート支持部２の凹部２ｂはシート状の治療物質Ａを搭載する貼付面２ａと同一平面上に配置されている。すなわち、シート貼付治具１の突起４をシート支持部２の凹部２ｂに嵌合させると、刃部３がシート支持部２の貼付面２ａに刃先３ａを接触させる位置（図２の鎖線Ｂで示す位置）に配置されるようになっている。
【００２８】
このように構成された本実施形態に係るシート貼付治具１の作用について説明する。
本実施形態に係るシート貼付治具１を用いてシート状の治療物質Ａを貼付装置のシート支持部２の貼付面２ａに貼付するには、図２に示されるように、貼付面２ａを鉛直上向きにして、貼付面２ａ全体を覆う大きさ、あるいは少なくとも図２の鎖線Ｂを含む大きさの治療物質Ａを貼付面２ａに載せる。
【００２９】
この状態で、本実施形態に係るシート貼付治具１の突起４をシート支持部２の凹部２ｂに合わせて嵌合させる。凹部２ｂに突起４を嵌合させることで、シート支持部２にシート貼付治具１を位置決め状態に取り付けることができる。そして、凹部２ｂに対する突起４の嵌合を進行させることにより、刃部３の刃先３ａを貼付面２ａに近接させていき、刃先３ａを貼付面２ａに押しつけることにより、刃部３とシート支持部２との間で、刃部３により治療物質Ａを切断することができる。
【００３０】
すなわち、本実施形態に係るシート貼付治具１によれば、シート支持部２の貼付面２ａの面積以下のシート状の治療物質Ａをシート支持部２の貼付面２ａに位置決め状態に切断して貼付することができる。その結果、シート状の治療物質Ａの切断とシート支持部２の貼付面２ａへの貼付とを１ステップで行うことができるという利点がある。
【００３１】
次に、本発明の第２の実施形態に係るシート貼付治具１０について、図面を参照して以下に説明する。
本実施形態の説明において上述した第１の実施形態に係るシート貼付治具１と構成を共通とする箇所には同一符号を付して説明を省略する。
【００３２】
本実施形態に係るシート貼付治具１０は、図３に示されるように、シート支持部２の側面を嵌合させる嵌合部（位置決め部）１１を有するブラケット１２と、該ブラケット１２に対して移動可能に支持された刃部３と、刃部３全体を覆う板状部材１３と、該刃部３を刃元に向かう方向に付勢するバネ１４とを備えている。
【００３３】
図３（ａ）に示されるように、シート支持部２の貼付面２ａを鉛直上向きにして、貼付面２ａ上に該貼付面２ａ全体を覆い、それよりも大きなシート状の治療物質Ａを配置し、鉛直上方からシート貼付治具１０を近接させて、ブラケット１２の嵌合部１１にシート支持部２の側面を嵌合させることにより、シート貼付治具１０がシート支持部２に位置決め状態に取り付けられるとともに、シート状の治療物質Ａの上方が板状部材１３によって覆われた状態となる。
【００３４】
この状態で、１４バネの付勢力に抗して板状部材１３および刃部３を下降させることにより、刃部３の下向きの刃先３ａによってシート状の治療物質Ａを切断し、シート支持部２の貼付面２ａ全体に貼付することができる。
図３に示す例では、刃部３はシート支持部２の外形と同一の形状を有し、刃部３がシート支持部２の外縁の外側を外縁に沿って下降することにより、せん断によって簡易にシート状の治療物質Ａを切断することができる。
【００３５】
このように構成された本実施形態に係るシート貼付治具１０によれば、刃部３によりシート状の治療物質Ａを切断する作業を行う際に、シート状の治療物質Ａの、貼付面２ａに貼付される領域の上方が板状部材１３によって覆われるので、作業中に上方から落下してくる塵埃等が、貼付される部分のシート状の治療物質Ａに付着することを防止することができるという利点がある。
【００３６】
なお、本実施形態に係るシート貼付治具１０においては、図４および図５に示されるように、シート貼付治具１０の刃部３の内側に、刃部３の刃先３ａより突出した位置と、刃先３ａより引っ込んだ位置との間で弾性変形可能な弾性材料からなる押圧部１５と、刃部３の刃先３ａより引っ込んだ位置に配置され、押圧部１５のそれ以上の弾性変形を規制する規制部材１６とを備えていてもよい。
【００３７】
押圧部１５は、ゴムやスポンジ等の弾性材料により構成されている。この押圧部１５は、刃部３がシート状の治療物質Ａに接触する前の段階では、図４に示されるように刃部３の刃先３ａより先端側に突出し、刃部３が、シート状の治療物質Ａを切断した段階では、図５に示されるように刃先３ａより刃元側に引っ込む位置まで弾性変形することができるようになっている。
【００３８】
また、規制部材１６は、刃部３の内側に近接して、刃部３の刃先３ａより引っ込んだ位置に配置され、押圧部１５が圧縮されていくと、ある時点でシート状の治療物質Ａに突き当たり、それ以上の押圧部１５の圧縮を規制するようになっている。
【００３９】
このように構成された本実施形態に係るシート貼付治具１０を用いてシート状の治療物質Ａをシート支持部２の貼付面２ａに貼付するには、図４に示されるように、貼付面２ａを鉛直上方に向けてシート支持部２を配置し、貼付面２ａより広いシート状の治療物質Ａを貼付面２ａに搭載し、その上方から刃部３を下降させる。
【００４０】
このとき、刃部３の内側には押圧部１５が刃先３ａよりも突出した位置に配置されているので、刃部３によるシート状の治療物質Ａの切断前から押圧部１５がシート状の治療物質Ａに接触する。さらに刃部３を下降させると、押圧部１５が弾性変形により圧縮されて刃部３の刃先３ａがシート状の治療物質Ａに接触する。そして、この状態からさらに刃部３を下降させることにより、図５に示されるように、刃先３ａによって治療物質Ａが切断される。
【００４１】
この場合において、本実施形態に係るシート貼付治具１０によれば、押圧部１５が切断前から切断中においてもシート状の治療物質Ａをシート支持部２の貼付面２ａに押さえ続けるので、治療物質Ａがずれることなく、安定して切断作業を行うことができるという利点がある。
また、規制部材１６を設けることにより、シート状の治療物質Ａを押さえる押圧部１５が圧縮されすぎて、治療物質Ａを過大な力で押圧してしまう前に、規制部材１５を治療物質Ａに突き当てることができ、シート状の治療物質Ａが柔らかい場合でもその健全性を維持することができる。
【００４２】
また、図６および図７に示されるように、刃部３の刃先３ａをシート支持部２の貼付面２ａに突き当てるようにしてシート状の治療物質Ａを切断する場合には、刃部３自体が規制部材となるので、別途規制部材を設けなくてもよい。
【００４３】
次に、本発明の第３の実施形態に係るシート貼付治具２０について、図面を参照して以下に説明する。
本実施形態の説明において、上述した第２の実施形態に係るシート貼付治具１０と構成を共通とする箇所には同一符号を付して説明を省略する。
【００４４】
本実施形態に係るシート貼付治具２０は、図８〜図１５に示されるように、シート支持部２より小さい面積の円形の領域に貼付するシート状の治療物質Ａを切断する円環状の刃部３を有する点、および、シート支持部２を載置するベース部２１を有する点において第２の実施形態に係るシート貼付治具１０と相違している。
【００４５】
本実施形態に係るシート貼付治具２０は、図９に示されるように、第２の実施形態に係るシート貼付治具１０と同様のブラケット１２、刃部３、板状部材１３およびバネ１４を有するユニット２２と、該ユニット２２を分離可能に取り付けるベース部２１とを有している。ベース部２１にはシート支持部２を載置する載置部２３と、ユニット２２を固定するユニット取付部２４とが設けられている。
【００４６】
載置部２３には、シート支持部２の貼付面２ａとは反対側の背面を載せる載置面２３ａと、図１０に示されるように、相互に直交する２つの側面を突き当てる突当部２３ｂ，２３ｃとが設けられている。ユニット取付部２４には、２つの凹部２４ａが設けられ、図示しないユニット２２側の突起を嵌合させるようになっている。これら、ユニット２２側の突起、凹部２４ａおよび載置部２３によって、刃部３をシート支持部２に位置決めする位置決め部が構成されている。
【００４７】
このように構成された本実施形態に係るシート貼付治具２０の作用について、以下に説明する。
本実施形態に係るシート貼付治具２０を用いて、シート状の治療物質Ａをシート支持部２の貼付面２ａに貼付するには、載置部２３の載置面２３ａを鉛直上方に向けて配置したベース部２１に対し、図１０に示されるように、貼付面２ａを鉛直上方に向けたシート支持部２を背面が載置面２３ａに密着するように載置する。
【００４８】
そして、シート支持部２を載置面２３ａ上で移動させ、シート支持部２の２つの直交する側面を突当部２３ｂ，２３ｃにそれぞれ突き当てる。これにより、シート支持部２は、貼付面２ａを水平上向きにしてベース部２１に鉛直方向および水平方向に位置決めされる。
【００４９】
次いで、図１１に示されるように、シート支持部２の貼付面２ａ上にシート状の治療物質Ａを載置する。このとき、治療物質Ａは、貼付面２ａに精度よく位置決めする必要はなく、貼付される領域が含まれるように大まかに配置されていればよい。
【００５０】
この状態で、図１２に示されるように、ベース部２１のユニット取付部２４の凹部２４ａに突起を嵌合させてユニット２２を取り付ける。これにより、ベース部２１にユニット２２が位置決め状態に固定される。したがって、ユニット２２に設けられた刃部３が、ベース部２１に位置決め状態に搭載されているシート支持部２に位置決め状態に取り付けられる。
【００５１】
次いで、図１３に示されるように、ユニット２２に設けられた板状部材１３および刃部３をバネ１４の付勢力に抗して下方に押し下げる。これにより、刃部１３の下向きの刃先３ａとシート支持部２の貼付面２ａとの間でシート状の治療物質Ａが円形に切断される。
【００５２】
この状態から、図１４に示されるようにベース部からユニットを取り外し、図１５に示されるように、シート状の治療物質Ａを周辺から剥離させる。これにより、円形に切り抜かれたシート状の治療物質Ａがシート支持部２の貼付面２ａに貼付された状態に残される。
【００５３】
ここでは、ベース部２１とユニット２２とが別体によって構成され、相互に分離可能で、位置決め状態に組み付けることができることとしたが、これに代えて、両者が予め一体的に固定された状態に設けられていてもよい。その場合、シート状の治療物質Ａを搭載したシート支持部２をベース部材２１の載置面２１ａと、刃部３の刃先３ａとの間の隙間に挿入し、シート支持部２の２つの側面を突当部２３ａ，２３ｂに突き当てることにすればよい。
【００５４】
また、本実施形態においては、シート支持部２の２つの側面を突当部２３ａ，２３ｂに突き当てることとしたが、これに代えて、図１６および図１７に示されるように、ベース部２１にシート支持部２の外形と相補的な形状の嵌合凹部２５を設けておき、シート支持部２を嵌合凹部２５内に嵌合させることで、シート支持部２をベース部２１に位置決め状態に取り付けることにしてもよい。
【００５５】
また、シート支持部２の貼付面２ａ全体にシート状の治療物質Ａを貼付する場合、例えば、図１８〜図２３に示されるように、ベース部２１にシート支持部２の貼付面２ａと略同一形状の嵌合凹部２５を設け、さらに、嵌合凹部２５と略同等の形状を有する刃部３を使用すればよい。刃部３にはシート支持部２の柄２ｃの部分を回避する切欠３ｂが設けられている。
【００５６】
ベース部２１の嵌合凹部２５には、図２３に示されるように、シート支持部２を嵌合させた状態でシート支持部２の周囲に微少隙間が形成され、該微小隙間に下降してきた刃部３が挿入される際に、シート状の治療物質Ａが刃部３とシート支持部２との間でせん断によって切断されるようになっている。
【００５７】
この場合においても、図１８のユニット２２をベース部２１から取り外した図１９の状態から、図２０に示されるように、嵌合凹部２５にシート支持部２を嵌合させ、図２１に示されるように、ベース部２１のユニット取付部２４およびシート支持部２の貼付面２ａに掛け渡されるようにシート状の治療物質Ａを配置する。この状態で、ユニット取付部２４にユニット２２を位置決め状態に取り付け、図２２に示されるように刃部３を押し下げることにより、シート支持部２の貼付面２ａ全体を覆うように治療物質Ａを切断しかつ貼付面２ａに貼付することができる。
【００５８】
なお、本実施形態においては、図２３に示されるように刃先３ａが、刃部３の移動方向Ｃに直交する方向に延びていることに代えて、図２４に示されるように、刃部３の移動方向Ｃに対して傾斜する刃先３ａを有していてもよい。このようにすることで、刃部３を鉛直下方に移動させると、刃部３の刃先３ａが治療物質Ａに一度に接触するのではなく、徐々に接触していくので、刃部３と治療物質Ａとが刃先３ａに沿う方向に相対的に移動する、いわゆる引き切りの状態となる。その結果、治療物質Ａが柔らかい場合においてもスムーズに切断していくことができるという利点がある。
【００５９】
同様の効果は、図２５に示されるように、刃先３ａを波形に形成することによっても得ることができる。
また、同様の効果は、図２６に示されるように、円筒形の刃部３をその中心軸回りに回転させつつ治療物質Ａを切断することによっても達成することができる。
【００６０】
図２６に示す例では、刃部３に設けられた雄ねじ３ｃがブラケット１２に設けられた雌ねじ１２ａに噛み合っており、刃部３に設けられた取っ手３ｄを捻ることで、刃部３がねじ結合によって、中心軸回りに回転しながら下降させられるようになっている。これにより、刃部３が刃先３ａの方向に沿って周方向に移動しながら治療物質Ａを切断するので、引き切りによってスムーズに切断することができる。
【００６１】
なお、雄ねじ３ｃに代えて、ブラケット１２に設けたらせん状の溝（図示略）内を移動可能な突起（図示略）を刃部３側に設けてもよい。また、刃部３側に設けたらせん状の溝内を移動可能な突起をブラケット１２側に設けてもよい。
【００６２】
また、図２７に示されるように、円環状の刃部３の内側を加圧する加圧手段２６を備えていてもよい。加圧手段２６としては、図２７に示すような蛇腹２６ａを備えるスポイトを挙げることができる。図中符号２７は取っ手３ｄに設けた切欠である。切欠２７に指を入れて蛇腹２６ａの頭部を押し下げるように押圧することにより、取っ手３ｄから刃先３ａまでの内部空間の圧力を増大させ、刃先３ａ内に入った治療物質Ａを押し出すことができる。
なお、シート支持部２として通気性を有するものを採用する場合には、シート支持部２の背面側から吸引して、貼付面２ａにシート状の治療物質Ａを吸着してもよい。
【００６３】
このようにすることで、円環状の刃部３によって打ち抜いたシート状の治療物質Ａが刃部３を引き上げる際に、刃部側に残って、刃部３と一緒に貼付面２ａから引き離されてしまうことを防止することができる。
【００６４】
また、円形の治療物質Ａを切り取る刃部３としては、円環状のものに限定されるものではなく、図２８に示されるように、シート支持部２の貼付面２ａに近接／離間させられる１以上の刃部３と、該刃部３を水平方向に離間した回転軸２８ａ回りに回転させる回転機構２８とを備えるものを採用してもよい。図２８は回転軸２８ａから等距離離れた位置に配置可能な２つの刃部３を有するものを例示している。回転軸２８ａからの距離は任意に調節可能であり、貼付する治療物質Ａの大きさを任意に調節することができる。
【００６５】
このようなシート貼付治具においても、シート状の治療物質Ａに対して、刃部３が刃先３ａに沿う方向に移動可能であり、引き切りの効果によって、ゼリー状の柔らかい治療物質Ａであってもスムーズに切断することができるという利点がある。
【００６６】
また、上記実施形態においては、シート状の物質として治療物質Ａを例示し、シート状の物質Ａを貼付する目的部位として患部を例示した。シート状の治療物質Ａとしては、例えば、タココンブ（ＣＳＬベーリング社製）等の止血剤やセプラフィルム（科研製薬製）等の癒着防止剤、その他の接着剤、生体組織内で吸収される生体吸収性シート等を挙げることができる。また、シート状の物質として治療物質Ａ以外のものを採用してもよい。
【符号の説明】
【００６７】
Ａ  治療物質（物質）
１，１０，２０  シート貼付治具
２  シート支持部
２ａ  貼付面
３  刃部
３ａ  刃先
３ｃ  雄ねじ（移動機構）
４  突起（位置決め部）
１１  嵌合部
１２ａ  雌ねじ（移動機構）
１３  板状部材
１５  押圧部
１６  規制部材
２３ａ，２３ｂ  突当部
２５  嵌合凹部
２６  加圧手段（離脱させる手段）
２８  回転機構（移動機構）
【図１】
2014151006.tif 000003
【図２】
2014151006.tif 000004
【図３】
2014151006.tif 000005
【図４】
2014151006.tif 000006
【図５】
2014151006.tif 000007
【図６】
2014151006.tif 000008
【図７】
2014151006.tif 000009
【図８】
2014151006.tif 000010
【図９】
2014151006.tif 000011
【図１０】
2014151006.tif 000012
【図１１】
2014151006.tif 000013
【図１２】
2014151006.tif 000014
【図１３】
2014151006.tif 000015
【図１４】
2014151006.tif 000016
【図１５】
2014151006.tif 000017
【図１６】
2014151006.tif 000018
【図１７】
2014151006.tif 000019
【図１８】
2014151006.tif 000020
【図１９】
2014151006.tif 000021
【図２０】
2014151006.tif 000022
【図２１】
2014151006.tif 000023
【図２２】
2014151006.tif 000024
【図２３】
2014151006.tif 000025
【図２４】
2014151006.tif 000026
【図２５】
2014151006.tif 000027
【図２６】
2014151006.tif 000028
【図２７】
2014151006.tif 000029
【図２８】
2014151006.tif 000030